(57)【要約】【課題】陳列商品の価格改定時における表示価格の切り換えを容易に行えるようにする。【解決手段】商品見本陳列部２における陳列商品Ｓの価格改定前に、その陳列商品Ｓの改定後価格ｍ′を表記した新表示具６′を商品見本陳列部２における対応陳列商品Ｓの近傍箇所に取り付けるとともに、陳列商品Ｓの改定前価格ｍを表記した仮表示具８を、それにより新表示具６′の表記価格ｍ′を隠す状態でかつ着脱自在な状態で前記近傍箇所に取り付け、その後、陳列商品Ｓの価格改定時に、仮表示具８を前記近傍箇所から取り外すことで新表示具６′の表記価格ｍ′を表示状態にして、陳列商品Ｓの表示価格を切り換える。【選択図】　　　　図６
2004094646.tif 000002
【特許請求の範囲】
【請求項１】
商品見本陳列部における陳列商品の価格改定前に、その陳列商品の改定後価格を表記した新表示具を前記商品見本陳列部における対応陳列商品の近傍箇所に取り付けるとともに、
前記陳列商品の改定前価格を表記した仮表示具を、それにより前記新表示具の表記価格を隠す状態でかつ着脱自在な状態で前記近傍箇所に取り付け、
その後、前記陳列商品の価格改定時に、前記仮表示具を前記近傍箇所から取り外すことで前記新表示具の表記価格を表示状態にする自動販売機における商品表示価格の切換方法。
【請求項２】
前記新表示具として、前記商品見本陳列部における複数の陳列商品の改定後価格を個別に表記した複数の個別新表示具、又は、前記商品見本陳列部における複数の陳列商品の改定後価格を陳列商品の並びピッチと同等のピッチで並べて表記した並記新表示具を前記近傍箇所に取り付けるのに対し、
前記仮表示具として、複数の前記陳列商品の改定前価格を陳列商品の並びピッチと同等のピッチで並べて表記した並記仮表示具を、それにより複数の前記個別新表示具夫々の表記価格又は前記並記新表示具における複数の表記価格を隠す状態で前記近傍箇所に取り付ける請求項１に記載した自動販売機における商品表示価格の切換方法。
【請求項３】
前記仮表示具として、表面に改定前価格を表記しかつ裏面に前記近傍箇所に対する接着用の粘着部を設けたシート状又は板状の仮表示具を用いる請求項１又は２に記載した自動販売機における商品表示価格の切換方法。
【請求項４】
前記陳列商品の改定前価格が表記された旧表示具を前記新表示具の取り付けに先立ち前記近傍箇所から取り外し、
その取り外した旧表示具を改定後価格未表記の仮表示具形成材に付設して、改定後価格を表記した前記仮表示具を形成する請求項１〜３のいずれか１項に記載した自動販売機における商品表示価格の切換方法。
【請求項５】
商品見本陳列部における陳列商品の改定前価格を表記した旧表示具を表面に取り付けた状態で前記商品見本陳列部における対応陳列商品の近傍箇所に配置してある表示具台の裏面に、前記陳列商品の改定後価格を表記した新表示具を前記陳列商品の価格改定前に取り付け、
その後、前記陳列商品の価格改定時に、前記表示具台を表裏反転させた状態で前記近傍箇所に位置させることにより前記新表示具の表記価格を表示状態にする自動販売機における商品表示価格の切換方法。
【請求項６】
前記表示具台が、前記新表示具として、前記商品見本陳列部における複数の陳列商品の改定後価格を個別に表記した複数の個別新表示具を陳列商品の並びピッチと同等のピッチで並べて裏面に取り付ける、又は、前記商品見本陳列部における複数の陳列商品の改定後価格を陳列商品の並びピッチと同等のピッチで並べて表記した並記新表示具を裏面に取り付ける一括表示具台である請求項５に記載した自動販売機における商品表示価格の切換方法。
【請求項７】
商品見本陳列部における陳列商品の改定前価格を表面に表記した状態で前記商品見本陳列部における対応陳列商品の近傍箇所に取り付けてある旧表示具の裏面に、前記陳列商品の改定後価格を表記した新表示具を前記陳列商品の価格改定前に取り付け、
その後、前記陳列商品の価格改定時に、前記旧表示具をその裏面に取り付けた前記新表示具と一体的に表裏反転させた状態で前記近傍箇所に位置させることにより前記新表示具の表記価格を表示状態にする自動販売機における商品表示価格の切換方法。
【請求項８】
前記旧表示具として、前記商品見本陳列部における複数の陳列商品の改定前価格を陳列商品の並びピッチと同等のピッチで並べて表記した並記旧表示具を前記近傍箇所に取り付けてあるのに対し、
前記新表示具として、複数の前記陳列商品の改定後価格を個別に表記した複数の個別新表示具を陳列商品の並びピッチと同等のピッチで並べて前記並記旧表示具の裏面に取り付ける、又は、複数の前記陳列商品の改定後価格を陳列商品の並びピッチと同等のピッチで並べて表記した並記新表示具を前記並記旧表示具の裏面に取り付ける請求項７に記載した自動販売機における商品表示価格の切換方法。
【発明の詳細な説明】
【０００１】
【発明の属する技術分野】
本発明は、自動販売機における商品表示価格の切換方法に関する。
【０００２】
【従来の技術】
従来、自動販売機の商品見本陳列部における陳列商品の価格を表示するには（図２参照）、陳列商品Ｓ（見本商品）各々の近傍箇所に表示具台７を設け、陳列商品Ｓの価格ｍを個別に表記した樹脂製プレートや紙製プレートからなる表示具６を差込方式などの着脱自在な取り付け方式により各表示具台７に取り付けるようにしたり、あるいは、表面に陳列商品Ｓの価格ｍを表記した粘着シール製の表示具６を各表示具台７に貼着する等していた。
【０００３】
また、陳列商品Ｓの価格改定の際にそれら陳列商品Ｓの表示価格を改定前価格から改定後価格へ切り換えるには、価格改定時まで現状の表示具６をそのまま使用し、そして、価格改定の時点で一斉に、それぞれの改定後価格を表記した新表示具をそれまでの表示具６（改定前価格を表記した旧表示具）と個々に交換して、あるいはまた、粘着シール製の表示具の場合には旧表示具６の上に新表示具を重ねて貼着するなどして、対応陳列商品Ｓの表示具台７に取り付けるようにしていた。
【０００４】
【発明が解決しようとする課題】
しかし従来、商品価格の改定時において、新価格での商品販売へ速やかに移行するには、複数の陳列商品に対する複数・複数種の新表示具の上記の如き取り付けによる表示価格の切り換えを限られた短い時間内に完了しなければならず、この作業が自動販売機の管理者にとって大きな負担になっていた。
【０００５】
そして特に、自動販売機で扱う商品は価格改定を全国一斉に行う商品が多いことから、そのような商品を扱う自動販売機を一括に管理する管理業者にとっては、価格改定時に多数の作業員を投入して多数の自動販売機の夫々における陳列商品の表示価格を一斉に切り換えなければならず、このことが大きな経済的負担になっていた。
【０００６】
この実情に鑑み、本発明の主たる課題は、自動販売機の商品見本陳列部における陳列商品の表示価格を切り換えるのに合理的な切り換え方式を採ることで、上記問題を効果的に解消する点にある。
【０００７】
【課題を解決するための手段】
〔１〕請求項１に係る発明は、自動販売機における商品表示価格の切換方法に係り、その特徴は、
商品見本陳列部における陳列商品の価格改定前に、その陳列商品の改定後価格を表記した新表示具を前記商品見本陳列部における対応陳列商品の近傍箇所に取り付けるとともに、
前記陳列商品の改定前価格を表記した仮表示具を、それにより前記新表示具の表記価格を隠す状態でかつ着脱自在な状態で前記近傍箇所に取り付け、
その後、前記陳列商品の価格改定時に、前記仮表示具を前記近傍箇所から取り外すことで前記新表示具の表記価格を表示状態にする点にある。
【０００８】
つまり、この方法によれば、価格改定時まで仮表示具により陳列商品の改定前価格を表示しながらも、価格改定時には仮表示具を取り外すだけで、陳列商品の表示価格を新表示具に表記の改定後価格へ容易に切り換えることができて、商品見本陳列部における複数の陳列商品の表示価格を価格改定時において一斉に切り換えるにしても、従来のように複数・複数種の新表示具を対応陳列商品の近傍箇所へ個々に取り付けて切り換えるのに比べ、価格改定の時点での迅速な切り換えが要求される改定前価格から改定後価格への表示価格の切り換えを容易かつ能率良く行うことができる。
【０００９】
そしてまた、価格改定前における新表示具及び仮表示具の取り付けについては、価格改定前の適当な実施時期を任意に選んで、また、自動販売機ごとに実施時期をずらせたり、場合によっては１つの自動販売機においても何個かの陳列商品ごとに実施時期をずらせるなどして作業集中を回避した状態で実施することができ、これらのことから、陳列商品の価格改定に伴う表示価格切り換え作業の全体について、従来に比べ自動販売機の管理者や多数の自動販売機を一括管理する管理業者の負担を効果的に軽減することができる。
【００１０】
なお、請求項１に係る発明の実施において、改定後価格を表記した新表示具を価格改定前に商品見本陳列部における対応陳列商品の近傍箇所に取り付けるにあたっては、それまでの旧表示具を取り外した上で新表示具を取り付ける形態、あるいは、旧表示具に表記の改定前価格を新表示具により隠す形態で新表示具を取り付ける形態のいずれを採ってもよい。
【００１１】
〔２〕請求項２に係る発明は、請求項１に係る発明の実施に好適な実施形態を特定するものであり、その特徴は、
前記新表示具として、前記商品見本陳列部における複数の陳列商品の改定後価格を個別に表記した複数の個別新表示具、又は、前記商品見本陳列部における複数の陳列商品の改定後価格を陳列商品の並びピッチと同等のピッチで並べて表記した並記新表示具を前記近傍箇所に取り付けるのに対し、
前記仮表示具として、複数の前記陳列商品の改定前価格を陳列商品の並びピッチと同等のピッチで並べて表記した並記仮表示具を、それにより複数の前記個別新表示具夫々の表記価格又は前記並記新表示具における複数の表記価格を隠す状態で前記近傍箇所に取り付ける点にある。
【００１２】
つまり、この方法によれば、価格改定時において並記仮表示具を取り外すだけで、その並記仮表示具に改定前価格を表記してある複数の陳列商品の表示価格を一挙に改定前価格から改定後価格へ切り換えることができ、これにより、仮表示具として複数の陳列商品の改定前価格を個別に表記した複数の個別仮表示具を用いて、それら個別仮表示具により複数の個別新表示具夫々の表記価格又は並記新表示具における複数の表記価格を個々に隠す形態を採るに比べ、価格改定時における複数の陳列商品についての改定前価格から改定後価格への表示価格の切り換えを一層容易かつ能率良く行うことができる。
【００１３】
〔３〕請求項３に係る発明は、請求項１又は２に係る発明の実施に好適な実施形態を特定するものであり、その特徴は、
前記仮表示具として、表面に改定前価格を表記しかつ裏面に前記近傍箇所に対する接着用の粘着部を設けたシート状又は板状の仮表示具を用いる点にある。
【００１４】
つまり、この方法によれば、仮表示具の裏面に設けた接着用粘着部をもって価格改定前における仮表示具の取り付けを容易に能率良く行うことができ、また、価格改定時における仮表示具の取り外しも剥がし形態での取り外しをもって容易に能率良く行うことができ、これにより、陳列商品の価格改定に伴う表示価格切り換え作業の作業負担を一層効果的に軽減することができる。
【００１５】
〔４〕請求項４に係る発明は、請求項１〜３のいずれか１項に係る発明の実施に好適な実施形態を特定するものであり、その特徴は、
前記陳列商品の改定前価格が表記された旧表示具を前記新表示具の取り付けに先立ち前記近傍箇所から取り外し、
その取り外した旧表示具を改定後価格未表記の仮表示具形成材に付設して、改定後価格を表記した前記仮表示具を形成する点にある。
【００１６】
つまり、この方法によれば、取り外した旧表示具を利用して、改定前価格を表記した仮表示具を形成するから、旧表示具とは別に、改定前価格を表記した仮表示具を製作準備する必要がなくなり、複数の陳列商品の表示価格を切り換えるにのに、それら陳列商品の改定前価格の相違にかかわらず仮表示具については共通の仮表示具形成材を準備するだけで済ませることができ、その分、請求項１に係る発明による前述の負担軽減効果を一層高めることができる。
【００１７】
なお、請求項４に係る発明の実施において、陳列商品の近傍箇所から取り外した旧表示具を接着するための粘着部を仮表示具形成材に予め設けておけば、仮表示具形成材に対する旧表示具の付設を容易にして、仮表示具の形成を容易にすることができる。
【００１８】
〔５〕請求項５に係る発明は、自動販売機における商品表示価格の切換方法に係り、その特徴は、
商品見本陳列部における陳列商品の改定前価格を表記した旧表示具を表面に取り付けた状態で前記商品見本陳列部における対応陳列商品の近傍箇所に配置してある表示具台の裏面に、前記陳列商品の改定後価格を表記した新表示具を前記陳列商品の価格改定前に取り付け、
その後、前記陳列商品の価格改定時に、前記表示具台を表裏反転させた状態で前記近傍箇所に位置させることにより前記新表示具の表記価格を表示状態にする点にある。
【００１９】
つまり、この方法によれば、価格改定時まで旧表示具により陳列商品の改定前価格を表示しながらも、価格改定時には表示具台を表裏反転させるだけで、陳列商品の表示価格を新表示具に表記の改定後価格へ容易に切り換えることができて、商品見本陳列部における複数の陳列商品の表示価格を価格改定時において一斉に切り換えるにしても、従来のように複数・複数種の新表示具を対応陳列商品の近傍箇所へ個々に取り付けて切り換えるのに比べ、価格改定の時点での迅速な切り換えが要求される改定前価格から改定後価格への表示価格の切り換えを容易かつ能率良く行うことができる。
【００２０】
そしてまた、価格改定前における新表示具の取り付けについては、価格改定前の適当な実施時期を任意に選んで、また、自動販売機ごとに実施時期をずらせたり、場合によっては１つの自動販売機においても何個かの陳列商品ごとに実施時期をずらせるなどして作業集中を回避した状態で実施することができ、これらのことから、請求項１に係る発明と同様、陳列商品の価格改定に伴う表示価格切り換え作業の全体について、従来に比べ自動販売機の管理者や多数の自動販売機を一括管理する管理業者の負担を効果的に軽減することができる。
【００２１】
なお、請求項５に係る発明の実施において、表示具台は表裏反転操作が自在な状態で商品見本陳列部における対応陳列商品の近傍箇所に取り付けてあるもの、あるいは、商品見本陳列部における対応陳列商品の近傍箇所から一旦取り外した上で表裏反転させて再び対応陳列商品の近傍箇所に取り付けるもののいずれであってもよい。
【００２２】
〔６〕請求項６に係る発明は、請求項５に係る発明の実施に好適な実施形態を特定するものであり、その特徴は、
前記表示具台が、前記新表示具として、前記商品見本陳列部における複数の陳列商品の改定後価格を個別に表記した複数の個別新表示具を陳列商品の並びピッチと同等のピッチで並べて裏面に取り付ける、又は、前記商品見本陳列部における複数の陳列商品の改定後価格を陳列商品の並びピッチと同等のピッチで並べて表記した並記新表示具を裏面に取り付ける一括表示具台である点にある。
【００２３】
つまり、この方法によれば、価格改定時において一括表示具台を表裏反転させるだけで、その一括表示具台の裏面に取り付けた複数の個別新表示具又は並記新表示具に改定後価格を表記してある複数の陳列商品の表示価格を一挙に改定前価格から改定後価格へ切り換えることができ、これにより、表示具台として各陳列商品の改定後価格を個別に表記した個別新表示具を裏面に個別に取り付ける複数の個別表示具台を用いて、それら複数の個別表示具台の各々を表裏反転させることで複数の陳列商品の表示価格を切り換える形態を採るに比べ、価格改定時における複数の陳列商品についての改定前価格から改定後価格への表示価格の切り換えを一層容易かつ能率良く行うことができる。
【００２４】
なお、請求項５又は６に係る発明の実施において、陳列商品の近傍箇所に配置してある前記表示具台を電動手段の発生動力により表裏反転動作させる構成を採用すれば、表示具台の表裏反転操作を人力により行う装置形態を採るに比べ、表示具台の表裏反転操作を容易にすることができて、その表裏反転による表示価格の切り換えを一層容易にすることができ、また、表示具台を一旦表裏反転させた状態で表示具台の裏面に新表示具を取り付け、その後、再び表示具台を表裏反転（復転）させるといった新表示具の取り付けに伴う表示具台の操作も容易にすることができる。
【００２５】
そして、計時手段による計時に基づき、管理者により予め指定された商品価格改定日時に至った時点で前記電動手段を作動させて前記表示具台を表裏反転動作させる制御手段を設けておく構成を採る場合では、商品価格改定日時を予め指定しておけば、その指定した商品価格改定日時に至った時点で、電動手段により表示具台を自動的に表裏反転動作させて、陳列商品の表示価格を表示具台の表面に取り付けてある旧表示具に表記の改定前価格から表示具台の裏面に取り付けてある新表示具に表記の改定後価格へ自動的に切り換えることができ、これにより、価格改定時における表示価格の切り換えを一層容易かつ能率良く行えるとともに、自動販売機の管理者や多数の自動販売機を一括管理する管理業者の負担を一層効果的に軽減することができる。
【００２６】
また、この構成を採る場合には、表示具台の裏面に対する新表示具の取り付けなどの為に、人為的なスイッチ操作による電動手段の作動操作や、人力による表示具台の表裏反転操作も可能にしておくのが望ましい。
【００２７】
〔７〕請求項７に係る発明は、自動販売機における商品表示価格の切換方法に係り、その特徴は、
商品見本陳列部における陳列商品の改定前価格を表面に表記した状態で前記商品見本陳列部における対応陳列商品の近傍箇所に取り付けてある旧表示具の裏面に、前記陳列商品の改定後価格を表記した新表示具を前記陳列商品の価格改定前に取り付け、
その後、前記陳列商品の価格改定時に、前記旧表示具をその裏面に取り付けた前記新表示具と一体的に表裏反転させた状態で前記近傍箇所に位置させることにより前記新表示具の表記価格を表示状態にする点にある。
【００２８】
つまり、この方法によれば、価格改定時まで旧表示具により陳列商品の改定前価格を表示しながらも、価格改定時にはその旧表示具を裏面に取り付けた新表示具と一体的に表裏反転させるだけで、陳列商品の表示価格を新表示具に表記の改定後価格へ容易に切り換えることができて、商品見本陳列部における複数の陳列商品の表示価格を価格改定時において一斉に切り換えるにしても、従来のように複数・複数種の新表示具を対応陳列商品の近傍箇所へ個々に取り付けて切り換えるのに比べ、価格改定の時点での迅速な切り換えが要求される改定前価格から改定後価格への表示価格の切り換えを容易かつ能率良く行うことができる。
【００２９】
そしてまた、価格改定前における新表示具の取り付けについては、価格改定前の適当な実施時期を任意に選んで、また、自動販売機ごとに実施時期をずらせたり、場合によっては１つの自動販売機においても何個かの陳列商品ごとに実施時期をずらせるなどして作業集中を回避した状態で実施することができ、これらのことから、請求項１，５に係る発明と同様、陳列商品の価格改定に伴う表示価格切り換え作業の全体について、従来に比べ自動販売機の管理者や多数の自動販売機を一括管理する管理業者の負担を効果的に軽減することができる。
【００３０】
なお、請求項７に係る発明の実施において、旧表示具は表裏反転操作が自在な状態で商品見本陳列部における対応陳列商品の近傍箇所に取り付けてあるもの、あるいは、商品見本陳列部における対応陳列商品の近傍箇所から一旦取り外した上で表裏反転させて再び対応陳列商品の近傍箇所に取り付けるもののいずれであってもよい。
【００３１】
〔８〕請求項８に係る発明は、請求項７に係る発明の実施に好適な実施形態を特定するものであり、その特徴は、
前記旧表示具として、前記商品見本陳列部における複数の陳列商品の改定前価格を陳列商品の並びピッチと同等のピッチで並べて表記した並記旧表示具を前記近傍箇所に取り付けてあるのに対し、
前記新表示具として、複数の前記陳列商品の改定後価格を個別に表記した複数の個別新表示具を陳列商品の並びピッチと同等のピッチで並べて前記並記旧表示具の裏面に取り付ける、又は、複数の前記陳列商品の改定後価格を陳列商品の並びピッチと同等のピッチで並べて表記した並記新表示具を前記並記旧表示具の裏面に取り付ける点にある。
【００３２】
つまり、この方法によれば、価格改定時において並記旧表示具を表裏反転させるだけで、その並記旧表示具に改定前価格を表記してある複数の陳列商品の表示価格を一挙に改定前価格から改定後価格へ切り換えることができ、これにより、旧表示具として各陳列商品の改定後価格を個別に表記した個別新表示具を裏面に個別に取り付ける複数の個別旧表示具を用いて、それら複数の個別旧表示具の各々をその裏面に取り付けた個別新表示具と一体的に表裏反転させることで複数の陳列商品の表示価格を切り換える形態を採るに比べ、価格改定時における複数の陳列商品についての改定前価格から改定後価格への表示価格の切り換えを一層容易かつ能率良く行うことができる。
【００３３】
なお、請求項７又は８に係る発明の実施において、商品見本陳列部における陳列商品の価格を表記した状態で前記商品見本陳列部における対応陳列商品の近傍箇所に取り付けてある表示具を、電動手段の発生動力により表裏反転動作させる構成を採用すれば、表示具を電動手段の発生動力により表裏反転動作させるから、表示具の表裏反転操作を人力により行う装置形態を採るに比べ、表示具の表裏反転操作を容易にすることができて、その表裏反転による表示価格の切り換えを一層容易にすることができ、また、表示具を一旦表裏反転させた状態で表示具の裏面に新表示具を取り付け、その後、再び表示具を表裏反転（復転）させるといった新表示具の取り付けに伴う表示具の操作も容易にすることができる。
【００３４】
そしてまた、計時手段による計時に基づき、管理者により予め指定された商品価格改定日時に至った時点で前記電動手段を作動させて前記表示具を表裏反転動作させる制御手段を設けておく構成を採る場合では、商品価格改定日時を予め指定しておけば、その指定した商品価格改定日時に至った時点で、電動手段により表示具（旧表示具）をその裏面に取り付けた新表示具と一体の状態で自動的に表裏反転動作させて、陳列商品の表示価格を表示具に表記の改定前価格から表示具の裏面に取り付けてある新表示具に表記の改定後価格へ自動的に切り換えることができ、これにより、価格改定時における表示価格の切り換えを一層容易かつ能率良く行えるとともに、自動販売機の管理者や多数の自動販売機を一括管理する管理業者の負担を一層効果的に軽減することができる。
【００３５】
また、この構成を採る場合には、表示具の裏面に対する新表示具の取り付けなどの為に、人為的なスイッチ操作による電動手段の作動操作や、人力による表示具の表裏反転操作も可能にしておくのが望ましい。
【００３６】
【発明の実施の形態】
〔第１実施形態〕
図１は自動販売機を示し、機体１の前面上部には、複数の商品見本Ｓを横一列に並べて陳列する商品見本陳列部２を上下に並べて複数段設けるとともに、それら商品見本陳列部２の陳列商品Ｓ（例えばタバコ）に対する購入ボタン３を、各々の商品見本陳列部２の下部で対応陳列商品Ｓに対し対応位置させて横一列に配置し、機体１の前面下部には商品払出口４を設けてある。
【００３７】
図２〜図４に示す如く、商品見本陳列部２には、複数の商品見本Ｓを所定ピッチで横一列に並べて載置する見本並置台５を設けてあり、また、見本並置台５には、陳列商品Ｓの価格ｍを表記した表示具６を対応陳列商品Ｓ（商品見本）の前面下部に位置させる状態に取り付ける表示具台７を設けてある。
【００３８】
表示具６は各陳列商品Ｓの価格ｍを個別に表記した樹脂プレート製又は紙プレート製の個別表示具にし、また、表示具台７は個別表示具６を個別に差込方式で取り付けるポケット状の個別表示具台にしてあり、これら個別表示具台７は見本並置台５に対して固設してある。
【００３９】
そして、本第１実施形態においては、商品見本陳列部２における陳列商品Ｓの一斉価格改定に伴い、それら陳列商品Ｓの表示価格を切り換えるのに、次の（イ）〜（ホ）の手順で表示価格の切り換えを行う。
【００４０】
（イ）価格改定前の適当な時期において、図５に示す如く、裏面全体に接着用粘着部８ａを設け、かつ、表面に複数の表示具接着用粘着部８ｂを陳列商品Ｓの並びピッチと同等のピッチで並べて設けたシート状の仮表示具形成材８を、個別表示具台７の並び列と平行姿勢にした状態で裏面の接着用粘着部８ａによる接着をもって個別表示具台７の並び列の近傍箇所に仮取り付けする。
【００４１】
（ロ）図６に示す如く、個別表示具台７の各々に取り付けてある現在の個別表示具６（改定前価格ｍを表記した個別旧表示具）を順次取り外し、それら取り外した個別旧表示具６を、取り外し前の相互位置関係を保った状態で、仮表示具形成材８における表面の表示具接着用粘着部８ｂを用いた接着により、仮取り付け状態の仮表示具形成材８の表面に順次付設し、これにより、陳列商品Ｓの改定前価格ｍを陳列商品Ｓの並びピッチと同等のピッチで並べて表記した並記仮表示具８′を形成する。
【００４２】
（ハ）同図６に示す如く、空になった個別表示具台７の夫々に、対応陳列商品Ｓの改定後価格ｍ′を表記した樹脂プレート製又は紙プレート製の個別表示具６′（個別新表示具）を差し込みにより取り付ける。
【００４３】
（ニ）図７に示す如く、仮取り付けしてある並記仮表示具８′を取り外し、取り外した並記仮表示具８′を、それにより複数の個別新表示具６′夫々の表記価格ｍ′を隠す状態で、かつ、表面に取り付けてある個別旧表示具６の夫々を対応陳列商品Ｓに対し対応位置させて、裏面の接着用粘着部８ａを用いた接着により個別表示具台７の並び列上に取り付ける。
【００４４】
（ホ）その後、陳列商品Ｓの価格改定時に、図８に示す如く、並記仮表示具８′を個別表示具台７の並び列上から剥がして取り外すことで、個別表示具台７の夫々に取り付けてある個別新表示具６′の表記価格ｍ′を露呈させて表示状態にし、これにより、陳列商品Ｓの価格改定時にそれら陳列商品Ｓの表示価格を個別旧表示具６に表記の改定前価格ｍから個別新表示具６′に表記の改定後価格ｍ′へ一挙に切り換える。
【００４５】
なお、本第１実施形態では、表示具台７として陳列商品Ｓの価格ｍ，ｍ′を個別に表記した個別表示具６，６′を個別に取り付ける個別表示具台を備える場合の表示価格切り換え手順を示したが、表示具台７として複数の陳列商品Ｓの価格ｍ，ｍ′を陳列商品Ｓの並びピッチと同等のピッチで並べて表記した並記表示具を取り付ける一括表示具台を備える場合には、仮取り付けした前記仮表示具形成材８に対し一括表示具台から取り外した並記旧表示具を取り付けて並記仮表示具８′を形成し、そして、並記旧表示具の取り外し後、一括表示具台に取り付けた並記新表示具における複数の表記価格ｍ′を並記仮表示具８′により隠す状態でその並記仮表示具８′を一括表示具台に取り付けておき、その後、価格改定時に並記仮表示具８′を一括表示具台から取り外すことで、一括表示具台に取り付けてある並記新表示具における複数の表記価格ｍ′を表示状態にして、陳列商品Ｓの表示価格を改定前価格ｍから改定後価格ｍ′へ切り換えるようにしてもよい。
【００４６】
〔第２実施形態〕
上述の第１実施形態では、陳列商品Ｓの改定前価格ｍを表記した仮表示具８′として、複数の旧表示具６の付設により複数の陳列商品Ｓの改定前価格ｍを陳列商品Ｓの並びピッチと同等のピッチで表記した並記仮表示具８′を用いる例を示したが、これに代え、本第２実施形態では次の（イ）〜（ホ）の手順で表示価格の切り換えを行う。
【００４７】
（イ）価格改定前の適当な時期において、図９に示す如く、裏面全体に接着用粘着部８ａを設け、かつ、表面に表示具接着用粘着部８ｂを設けたシート状の仮表示具形成材８を、裏面の接着用粘着部８ａによる接着をもって複数の個別表示具台７夫々の近傍箇所に仮取り付けする。
【００４８】
（ロ）図１０に示す如く、個別表示具台７の各々に取り付けてある現在の個別表示具６（改定前価格ｍを表記した個別旧表示具）を順次取り外し、それら取り外した個別旧表示具６を、仮表示具形成材８における表面の表示具接着用粘着部８ｂを用いた接着により、対応位置する仮取り付け状態の仮表示具形成材８の表面に個別に付設し、これにより、陳列商品Ｓの改定前価格ｍを個別に表記した複数の個別仮表示具８′を形成する。
【００４９】
（ハ）同図１０に示す如く、空になった個別表示具台７の夫々に、対応陳列商品Ｓの改定後価格ｍ′を表記した樹脂プレート製又は紙プレート製の個別表示具６′（個別新表示具）を差し込みにより取り付ける。
【００５０】
（ニ）図１１に示す如く、仮取り付けしてある複数の個別仮表示具８′を順次取り外し、取り外した個別仮表示具８′を、それにより対応する個別新表示具６′の表記価格ｍ′を隠す状態で、裏面の接着用粘着部８ａを用いた接着により個別表示具台７夫々の台上に順次取り付ける。
【００５１】
（ホ）その後、陳列商品Ｓの価格改定時に、個別仮表示具８′を個別表示具台７夫々の台上から剥がして順次取り外すことで、前述と同様、図８に示す如く個別表示具台７の夫々に取り付けてある個別新表示具６′の表記価格ｍ′を露呈させて表示状態にし、これにより、陳列商品Ｓの価格改定時にそれら陳列商品Ｓの表示価格を個別旧表示具６に表記の改定前価格ｍから個別新表示具６′に表記の改定後価格ｍ′へ切り換える。
【００５２】
〔第３実施形態〕
第１，第２実施形態では、商品見本陳列部２において商品見本Ｓを載置する見本並置台５に表示具台７を固設してある場合の例を示したが、本第３実施形態では、図１２に示す如く、各陳列商品Ｓの価格を表記した複数の表示具６を陳列商品Ｓ（商品見本）の並びピッチと同等のピッチで横一列に並べて取り付ける板状の一括表示具台７を、見本並置台５の側に設けた係止具９への係止により対応陳列商品Ｓ（対応見本商品）の前面下部に位置させる状態で見本並置台５に対して着脱自在に取り付けてある。
【００５３】
表示具６は、表面に陳列商品Ｓの価格を個別に表記し、かつ、裏面に接着用の粘着部６ａを設けた粘着シート製の個別表示具にしてあり、裏面の接着用粘着部６ａを用いた接着により一括表示具台７に取り付ける。
【００５４】
そして、本第３実施形態においては、商品見本陳列部２における陳列商品Ｓの一斉価格改定に伴い、それら陳列商品Ｓの表示価格を切り換えるのに、次の（イ）〜（ニ）の手順で表示価格の切り換えを行う。
【００５５】
（イ）価格改定前の適当な時期において、図１２から図１３の順に示す如く、表面に現在の個別表示具６（改定前価格ｍを表記した個別旧表示具）を取り付けてある一括表示具台７を一旦、見本並置台５から取り外し、そして、その取り外した一括表示具７を上下に表裏反転させて裏向きにした状態で再び係止具９への係止により見本並置台５に取り付ける。
【００５６】
（ロ）図１４に示す如く、裏向きにして見本並置台５に取り付けた一括表示具台７の表面（表裏反転させる前の裏面）に対し、各陳列商品Ｓの改定後価格ｍを表記した粘着シート製の個別新表示具６′を、対応陳列商品Ｓに対応位置させて横一列に並べた状態で裏面の接着用粘着部６ａによる接着をもって取り付ける。
【００５７】
（ハ）図１５に示す如く、個別新表示具６′を取り付けた一括表示具台７を、再び見本並置台５から取り外し、その取り外した一括表示具台７を再度、上下に表裏反転させて表向きに戻した状態で係止具９への係止により見本並置台５に取り付ける。
【００５８】
（ニ）その後、陳列商品Ｓの価格改定時に、図１５から図１６の順に示す如く、表向きに戻した状態で見本並置台５に取り付けてある一括表示具台７を見本並置台５から取り外し、その取り外した一括表示具台７を前回と同様、上下に表裏反転させて裏向きにした状態で係止具９への係止により見本並置台５に取り付けることで、その一括表示具台７に取り付けてある個別新表示具６′の表記価格ｍ′を露呈させて表示状態にし、これにより、陳列商品Ｓの価格改定時にそれら陳列商品Ｓの表示価格を個別旧表示具６に表記の改定前価格ｍから個別新表示具６′に表記の改定後価格ｍ′へ一挙に切り換える。
【００５９】
なお、本第３実施形態では、表示具台７として各陳列商品Ｓの価格ｍ，ｍ′を個別に表記した複数の個別表示具６，６′を陳列商品Ｓの並びピッチと同等のピッチで並べて取り付ける一括表示具台を用い、その一括表示具台７の表裏反転により表示価格を切り換える例を示したが、表示具台７として個別表示具６，６′を個別に取り付ける個別表示具台を用いる場合には、改定前価格ｍを表記した粘着シート製などの個別旧表示具６を表面に取り付けた状態で陳列商品Ｓの並びピッチと同等のピッチで並べて見本並置台５に配置してある複数の個別表示具台夫々の裏面に、対応陳列商品Ｓの改定後価格ｍ′を表記した粘着シート製などの個別新表示具６′を価格改定前において予め取り付けておき、その後、陳列商品Ｓの価格改定時に、それら個別表示具台を表裏反転させて裏向きにした状態で見本並置台５に配置することで、それら個別表示具台の裏面に取り付けてある個別新表示具６′の表記価格ｍ′を表示状態にして、陳列商品Ｓの表示価格を改定前価格ｍから改定後価格ｍ′へ切り換えるようにしてもよい。
【００６０】
また、上記例では一括表示具台７を上下に表裏反転させて表示価格の切り換えを行う場合を示したが、図１２に示す構成において、一括表示具台７を左右に表裏反転させる形態で上記（イ）〜（ニ）の手順により表示価格の切り換えを行うようにしてもよい。
【００６１】
〔第４実施形態〕
上述の第３実施形態では、見本並置台５に対して着脱自在に取り付けてある一括表示具台７を、人力により見本並置台５から取り外して表裏反転させる例を示したが、本第４実施形態では、図１７に示す如く、横向き軸芯Ｑ周りでの回転を自在にして陳列商品見本Ｓの近傍に配設した一括表示具台７に対し伝動機構を介して電動モータ１０を連結し、この電動モータ１０の発生動力により一括表示具台７を横向き軸芯Ｑ周りで回転させることで、一括表示具台７を上下に表裏反転動作させるようにしてある。
【００６２】
また、１１は、キーボードなどの適当な入力手段１２により商品価格の改定日時及び各陳列商品Ｓの改定後価格を予め入力指定しておくことで、タイマーによる計時に基づき、その指定された価格改定日時に至ったときに自動販売機の商品販売制御（投入代金の過不足判断や釣銭の払い出しなど）における商品価格を改定後価格に自動的に切り換える制御器であり、本第４実施形態では、指定された価格改定日時に至ったとき、この制御器１１により電動モータ１０を所定量だけ自動作動させることで、商品販売制御における商品価格の切り換えとともに、一括表示具台７の表裏反転による表示価格の切り換えも併せ自動的に行わせるようにしてある。
【００６３】
すなわち、本第４実施形態においては、商品見本陳列部２における陳列商品Ｓの一斉価格改定に伴い、それら陳列商品Ｓの表示価格を切り換えるのに、次の（イ），（ロ）の手順で表示価格の切り換えを行う。
【００６４】
（イ）価格改定前の適当な時期において、同図１７から図１８の順に示す如く、表面に現在の個別表示具６（改定前価格ｍを表記した個別旧表示具）を取り付けてある一括表示具台７を一旦、人為的なスイッチ操作による電動モータ１０の作動操作で表裏反転させて裏向きの状態にし、この状態で、一括表示具台７の表面（表裏反転させる前の裏面）に対し、各陳列商品Ｓの改定後価格ｍを表記した個別新表示具６′を、対応陳列商品Ｓに対応位置させて横一列に並べた状態で取り付ける。
【００６５】
（ハ）そして、同図１８から図１７の順に示す如く、個別新表示具６′を取り付けた一括表示具台７を、再び人為的なスイッチ操作による電動モータ１０の作動操作で表裏反転させて表向きの状態に戻すとともに、入力手段１２により制御器１１に対して価格改定の日時を指定する。
【００６６】
これにより、指定の価格改定日時に至ったとき、図１７から図１８の順に示す如く、制御器１１による電動モータ１０の自動作動で一括表示具台７が表裏反転動作して、その一括表示具台７に取り付けてある個別新表示具６′の表記価格ｍ′が表示状態にり、もって、陳列商品Ｓの価格改定時にそれら陳列商品Ｓの表示価格が個別旧表示具６に表記の改定前価格ｍから個別新表示具６′に表記の改定後価格ｍ′へ自動的に切り換えられる。
【００６７】
なお、横向き軸芯Ｑ周りでの回転により表裏反転させる表示具台７は、図１７に示す如き板状の表示具台に限られるものではなく、図１９に示す如き角柱状の表示具台７や図２２に示す如き円柱状の表示具台７であってもよく。これら角柱状や円柱状の表示具台７を用いて、同図１９〜図２１あるいは同図２２〜図２４に示す如く各回の価格改定時における表示具６，６′，６″を表示具台７の回転軸芯Ｑ周りで３段階以上に取り付ける形態で、複数回の表示価格切り換えに対応できるようにしてもよい。
【００６８】
また、本第４実施形態では、表示具台７として各陳列商品Ｓの価格ｍ，ｍ′を個別に表記した複数の個別表示具６，６′を陳列商品Ｓの並びピッチと同等のピッチで並べて取り付ける一括表示具台を用いる例を示したが、個別表示具６，６′を個別に取り付ける個別表示具台の夫々を電動モータや電磁ソレノイドなどの適当な電動手段の発生動力により表裏反転動作させて、それら個別表示具台の裏面に取り付けてある個別新表示具６′の表記価格ｍ′を表示状態にすることで、陳列商品Ｓの表示価格を改定前価格ｍから改定後価格ｍ′へ切り換えるようにしてもよい。
【００６９】
〔第５実施形態〕
第３及び第４実施形態では、表示具台７を上下に表裏反転（すなわち、横向き軸芯周りでの回転により表裏反転）させる例を示したが、本第５実施形態では、表示具台７を左右に表裏反転（すなわち、縦軸芯周りでの回転により表裏反転）させることで、表示価格の切り換えを行う。
【００７０】
つまり、図２５に示す如く、表示具６には、表面に陳列商品Ｓの価格ｍを個別に表記した樹脂プレート製や紙プレート製の個別表示具を用い、一方、見本並置台５の側に設けた係止具９への係止により対応陳列商品Ｓ（対応見本商品）の前面下部に位置させる状態で見本並置台５に対して着脱自在に取り付ける板状の一括表示具台７には、個別表示具６を上方からの差し込みにより取り付ける表示具取付部７ａ（第１実施形態におけるポケット状の個別表示具台と同構造の取付部）を、陳列商品Ｓ（商品見本）の並びピッチと同等のピッチで横一列に並べて、かつ、上下同じ向きにした状態で表面と裏面との夫々に設けてある。
【００７１】
すなわち、本第５実施形態においては、商品見本陳列部２における陳列商品Ｓの一斉価格改定に伴い、それら陳列商品Ｓの表示価格を切り換えるのに、次の（イ）〜（ニ）の手順で表示価格の切り換えを行う。
【００７２】
（イ）価格改定前の適当な時期において、同図２５から図２６の順に示す如く、表面の表示具取付部７ａ夫々に現在の個別表示具６（改定前価格ｍを表記した個別旧表示具）を取り付けてある一括表示具台７を一旦、見本並置台５から取り外し、そして、その取り外した一括表示具７を左右に表裏反転させて裏向きにした状態で再び係止具９への係止により見本並置台５に取り付ける。
【００７３】
（ロ）図２７に示す如く、裏向きにして見本並置台５に取り付けた一括表示具台７の表面（表裏反転させる前の裏面）における表示具取付部７ａの夫々に対し、対応陳列商品Ｓの改定後価格ｍ′を表記した個別新表示具６′を上方からの差し込みにより取り付ける。
【００７４】
（ハ）図２８に示す如く、個別新表示具６′を取り付けた一括表示具台７を、再び見本並置台５から取り外し、その取り外した一括表示具台７を再度、左右に表裏反転させて表向きに戻した状態で係止具９への係止により見本並置台５に取り付ける。
【００７５】
（ニ）その後、陳列商品Ｓの価格改定時に、図２９に示す如く、表向きに戻した状態で見本並置台５に取り付けてある一括表示具台７を見本並置台５から取り外し、その取り外した一括表示具台７を前回と同様、左右に表裏反転させて裏向きにした状態で係止具９への係止により見本並置台５に取り付けることで、その一括表示具台７に取り付けてある個別新表示具６′の表記価格ｍ′を露呈させて表示状態にし、これにより、陳列商品Ｓの価格改定時にそれら陳列商品Ｓの表示価格を個別旧表示具６に表記の改定前価格ｍから個別新表示具６′に表記の改定後価格ｍ′へ一挙に切り換える。
【００７６】
なお、図２５の（ロ）に示す如く、係止具９には、その係止具９に一括表示具台７の下縁部を挿入して係止させる際に一括表示具台７の下縁部に対し接触させる突起部９ａを設けてあり、挿入の際、弾性的撓み変形を伴いながら一括表示具台７の下縁部を突起部９ａに対して乗り越えさせることにより、一括表示具台７の取り付け固定を確実にするようにしてある。
【００７７】
また、上記例では一括表示具台７を左右に表裏反転させて表示価格の切り換えを行う場合を示したが、一括表示具台７の表面に設けるポケット状の表示具取付部７ａと一括表示具台７の裏面に設けるポケット状の表示具取付部７ａとを互いに上下逆向きにした構造で、かつ、それら表示具取付部７ａが上下さかさま姿勢にあるときにも表示具取付部７ａに取り付けられた個別表示具６が脱落しない構造を採用し、そして、その構造において、一括表示具台７を上下に表裏反転させる形態で上記（イ）〜（ニ）の手順により表示価格の切り換えを行うようにしてもよい。
【００７８】
〔第６実施形態〕
第３〜第５実施形態では、陳列商品Ｓの価格を表記した表示具６，６′を取り付ける表示具台７を、それに取り付けた表示具６，６′とともに表裏反転させることで表示価格を切り換える例を示したが、本第６実施形態では、固設の表示具台７に取り付けた表示具６を表裏反転させることで、表示価格の切り換えを行う。
【００７９】
つまり、図３０に示す如く、商品見本陳列部２には、第１実施形態と同様、各陳列商品Ｓの価格を個別に表記した樹脂プレート製又は紙プレート製の個別表示具６を個別に差込方式で取り付けるポケット状の個別表示具台７を、陳列商品Ｓの並びピッチと同等のピッチで横一列に並べて、かつ、見本並置台５に対して固設した状態で設けてある。
【００８０】
そして、本第６実施形態においては、商品見本陳列部２における陳列商品Ｓの一斉価格改定に伴い、それら陳列商品Ｓの表示価格を切り換えるのに、次の（イ）〜（ハ）の手順で表示価格の切り換えを行う。
【００８１】
（イ）価格改定前の適当な時期において、同図３０に示す如く、各個別表示具台７に取り付けてある樹脂プレート製又は紙プレート製の現在の個別表示具６（改定前価格ｍを表記した個別旧表示具）を一旦、個別表示具台６から取り外し、その取り外した個別旧表示具６の裏面に、対応陳列商品Ｓの改定後価格ｍ′を表記した粘着シート製ないしは樹脂プレート製や紙プレート製の個別新表示具６′を背中合わせ状態にして貼り付ける。
【００８２】
（ロ）そして、図３１に示す如く、個別新表示具６′を裏面に貼り付けた個別旧表示具６の夫々を、それら個別旧表示具６の表記価格ｍを再度表示する状態にして元の個別表示具台７に再び取り付けておく。
【００８３】
（ハ）その後、陳列商品Ｓの価格改定時に、図３２に示す如く、各個別表示具台７に取り付けてある個別旧表示具６を、その裏面に貼り付けてある個別新表示具６′とともに一旦、個別表示具台７から取り外した上で表裏反転させて元の個別表示具台７に取り付けることで、それら個別旧表示具６の裏面に貼り付けてある個別新表示具６′の表記価格ｍ′を露呈させて表示状態にし、これにより、陳列商品Ｓの価格改定時にそれら陳列商品Ｓの表示価格を個別旧表示具６に表記の改定前価格ｍから個別新表示具６′に表記の改定後価格ｍ′へ切り換える。
【００８４】
なお、本第６実施形態では、旧表示具６及び新表示具６′の夫々に陳列商品Ｓの価格ｍ，ｍ′を個別に表記した個別旧表示具及び個別新表示具を用いる例を示したが、旧表示具６として複数の陳列商品Ｓの改定前価格ｍを陳列商品Ｓの並びピッチと同等のピッチで並べて表記した並記旧表示具を用いるのに対し、新表示具６′として、陳列商品Ｓの改定後価格ｍ′を個別に表記した複数の個別新表示具を陳列商品Ｓの並びピッチと同等のピッチで並べて並記旧表示具の裏面に取り付ける、又は、複数の陳列商品Ｓの改定後価格ｍ′を陳列商品Ｓの並びピッチと同等のピッチで並べて表記した並記新表示具を並記旧表示具の裏面に取り付けるようにし、そして、価格改定時にその並記旧表示具を裏面に取り付けた複数の個別新表示具又は並記新表示具とともに表裏反転させて対応陳列商品Ｓの近傍箇所に位置させることで、表示価格の切り換えを行うようにしてもよい。
【００８５】
また、前述の第４実施形態と同様、裏面に新表示具６′を取り付けた旧表示具６を電動モータや電磁ソレノイドなどの電動手段の発生動力により表裏反転させて表示価格の切り換えを行うようにしたり、その電動手段を管理者により予め指定された商品価格改定日時に制御手段をもって自動作動させて旧表示具６を裏面に取り付けた新表示具６′とともに表裏反転動作させることで、表示価格の切り換えを自動的に行うようにしてもよい。
【００８６】
〔別の実施形態〕
次に別実施形態を列記する。
【００８７】
請求項１〜８に係る各発明の実施において、表示具６，６′、表示具台７、仮表示具８′などの各部材の具体的な形状，材質、構造、取り付け方式は、各発明の実施が可能なものであれば、前述の各実施形態で示した形状，材質、構造、取り付け方式に限らず、どのようなものであってもよい。
【００８８】
商品見本陳列部２における陳列商品Ｓ（商品見本）の陳列形態は、横列に限られるものではなく、縦列や碁盤配置などであってもよく、また、それに応じ、商品価格を表記した表示具６の配列形態も前述の各実施形態で示した配列形態に限らず、どのような配列形態であってもよい。
【００８９】
そしてまた、陳列商品Ｓに対する購入ボタン３を押し操作すると、予め入力してあるデータに基づき、その陳列商品Ｓのその時点での価格（すなわち、価格改定日時に至る前では改定前価格ｍ、価格改定日時に至った後は改定後価格ｍ′）を金額表示器に表示する機能を自動販売機に備えさせる場合には、商品見本陳列部２において価格改定時に表示状態にした新表示具６′の表記価格ｍ′に誤りが無いか否かを、上記購入ボタン３の押し操作により金額表示器に表示される価格ｍ′との対比参照をもって確認するようにしてもよい。
【００９０】
本発明は、タバコの自動販売機に限らず、缶飲料、ペットボトル飲料、食品、新聞、ＣＤなど、どのような商品を扱う自動販売機にも適用することができる。
【図面の簡単な説明】
【図１】自動販売機の正面図
【図２】第１実施形態を示す商品見本陳列部の正面図
【図３】第１実施形態を示す商品見本陳列部の側面視断面図
【図４】第１実施形態を示す商品見本陳列部の斜視図
【図５】第１実施形態の表示価格切り換え手順を示す正面図
【図６】第１実施形態の表示価格切り換え手順を示す正面図
【図７】第１実施形態の表示価格切り換え手順を示す正面図
【図８】第１実施形態の表示価格切り換え手順を示す正面図
【図９】第２実施形態の表示価格切り換え手順を示す正面図
【図１０】第２実施形態の表示価格切り換え手順を示す正面図
【図１１】第２実施形態の表示価格切り換え手順を示す正面図
【図１２】第３実施形態の表示価格切り換え手順を示す斜視図
【図１３】第３実施形態の表示価格切り換え手順を示す斜視図
【図１４】第３実施形態の表示価格切り換え手順を示す斜視図
【図１５】第３実施形態の表示価格切り換え手順を示す正面図
【図１６】第３実施形態の表示価格切り換え手順を示す正面図
【図１７】第４実施形態の表示価格切り換え手順を示す斜視図
【図１８】第４実施形態の表示価格切り換え手順を示す斜視図
【図１９】第４実施形態の変形例を示す斜視図
【図２０】第４実施形態の変形例を示す斜視図
【図２１】第４実施形態の変形例を示す斜視図
【図２２】第４実施形態の変形例を示す斜視図
【図２３】第４実施形態の変形例を示す斜視図
【図２４】第４実施形態の変形例を示す斜視図
【図２５】第５実施形態の表示価格切り換え手順を示す斜視図
【図２６】第５実施形態の表示価格切り換え手順を示す斜視図
【図２７】第５実施形態の表示価格切り換え手順を示す斜視図
【図２８】第５実施形態の表示価格切り換え手順を示す正面図
【図２９】第５実施形態の表示価格切り換え手順を示す正面図
【図３０】第６実施形態の表示価格切り換え手順を示す斜視図
【図３１】第６実施形態の表示価格切り換え手順を示す正面図
【図３２】第６実施形態の表示価格切り換え手順を示す正面図
【符号の説明】
２　　　　　　　商品見本陳列部
６　　　　　　　旧表示具
６′　　　　　　新表示具
７　　　　　　　表示具台
７ａ　　　　　　表示具取付部
８　　　　　　　仮表示具形成材
８′　　　　　　仮表示具
ｍ　　　　　　　改定前価格
ｍ′　　　　　　改定後価格
Ｓ　　　　　　　陳列商品
【図１】
2004094646.tif 000003
【図２】
2004094646.tif 000004
【図３】
2004094646.tif 000005
【図４】
2004094646.tif 000006
【図５】
2004094646.tif 000007
【図６】
2004094646.tif 000008
【図７】
2004094646.tif 000009
【図８】
2004094646.tif 000010
【図９】
2004094646.tif 000011
【図１０】
2004094646.tif 000012
【図１１】
2004094646.tif 000013
【図１２】
2004094646.tif 000014
【図１３】
2004094646.tif 000015
【図１４】
2004094646.tif 000016
【図１５】
2004094646.tif 000017
【図１６】
2004094646.tif 000018
【図１７】
2004094646.tif 000019
【図１８】
2004094646.tif 000020
【図１９】
2004094646.tif 000021
【図２０】
2004094646.tif 000022
【図２１】
2004094646.tif 000023
【図２２】
2004094646.tif 000024
【図２３】
2004094646.tif 000025
【図２４】
2004094646.tif 000026
【図２５】
2004094646.tif 000027
【図２６】
2004094646.tif 000028
【図２７】
2004094646.tif 000029
【図２８】
2004094646.tif 000030
【図２９】
2004094646.tif 000031
【図３０】
2004094646.tif 000032
【図３１】
2004094646.tif 000033
【図３２】
2004094646.tif 000034